(57)【要約】【課題】ユーザが携帯端末を操作することなく、当該携帯端末の機内モードを容易に切り替えること。【解決手段】携帯端末１０１は、電波禁止エリアに進入する際に、当該電波禁止エリアの出入口付近に設置される発信機が発信する超音波通信の超音波を受信すると、携帯端末１０１を当該携帯端末から発信される電波を制御する機内モードに切り替える。また、電波禁止エリアから退出する際に、前記発信機が発信する超音波通信の超音波を受信すると、携帯端末１０１の機内モードを解除する。【選択図】図１
2015228580.tif 000002
【特許請求の範囲】
【請求項１】
電波の発信を制御する場所の出入口付近に設置される発信機が発する超音波により通信が可能な携帯端末であって、
前記発信機が発する超音波による通信を受信する超音波通信受信手段と、
前記携帯端末が当該携帯端末から発信される電波を制御する機内モードでない場合に、前記超音波通信受信手段で超音波を受信することにより、前記機内モードを開始する機内モード開始手段と、
前記携帯端末が機内モードである場合に、前記超音波通信受信手段で超音波を受信することにより、前記機内モードを終了する機内モード終了手段と
を備えることを特徴とする携帯端末。
【請求項２】
前記携帯端末は、更に前記電波の発信を制御する場所に設置された照明が発する可視光により通信が可能であり、
前記照明が発する可視光による通信を受信する可視光通信受信手段と、
前記機内モード開始手段は、前記可視光通信受信手段で可視光を受信することにより、前記機内モードを開始することを特徴とする請求項１に記載の携帯端末。
【請求項３】
前記機内モード終了手段は、更にユーザからの指示に応じて前記機内モードを終了し、
前記機内モード開始手段は、前記機内モード終了手段によって機内モードが終了しており、かつ前記可視光通信受信手段で可視光を受信することにより、前記機内モードを開始することを特徴とする請求項２に記載の携帯端末。
【請求項４】
前記可視光通信受信手段は、前記機内モード開始手段で機内モードが開始された場合に、前記照明が発する可視光による通信を受信することを特徴とする請求項２または３に記載の携帯端末。
【請求項５】
前記携帯端末は、
当該携帯端末の現在位置を取得する現在位置取得手段を更に備え、
前記超音波通信受信手段は、前記現在位置取得手段で取得した現在位置が前記電波の発信を制御する場所の付近である場合に、前記発信機が発する超音波による通信を受信することを特徴とする請求項１乃至４のいずれか１項に記載の携帯端末。
【請求項６】
電波の発信を制御する場所の出入口付近に設置される発信機が発する超音波により通信が可能な携帯端末の制御方法であって、
前記携帯端末の超音波通信受信手段が、前記発信機が発する超音波による通信を受信する超音波通信受信ステップと、
前記携帯端末の機内モード開始手段が、前記携帯端末が当該携帯端末から発信される電波を制御する機内モードでない場合に、前記超音波通信受信ステップで超音波を受信することにより、前記機内モードを開始する機内モード開始ステップと、
前記携帯端末の機内モード終了手段が、前記携帯端末が機内モードである場合に、前記超音波通信受信ステップで超音波を受信することにより、前記機内モードを終了する機内モード終了ステップと
を備えることを特徴とする携帯端末の制御方法。
【請求項７】
電波の発信を制御する場所の出入口付近に設置される発信機が発する超音波により通信が可能な携帯端末の制御方法を実行可能なプログラムであって、
前記携帯端末を、
前記発信機が発する超音波による通信を受信する超音波通信受信手段と、
前記携帯端末が当該携帯端末から発信される電波を制御する機内モードでない場合に、前記超音波通信受信手段で超音波を受信することにより、前記機内モードを開始する機内モード開始手段と、
前記携帯端末が機内モードである場合に、前記超音波通信受信手段で超音波を受信することにより、前記機内モードを終了する機内モード終了手段
として機能させることを特徴とするプログラム。
【発明の詳細な説明】
【技術分野】
【０００１】
本発明は、ユーザが携帯端末を操作することなく、当該携帯端末の機内モードを容易に切り替えることの可能な携帯端末、その制御方法、及びプログラムに関する。
【背景技術】
【０００２】
従来、飛行機や病院等の中では携帯端末から発信される電波を停止するよう求められている。飛行機や病院等において用いられる機器に対して、携帯端末から発信される電波が干渉してしまい、予期しない動作を起こしてしまう可能性がある。飛行機や病院においては機器が誤動作を起こすことによって人命にかかわる重大な事故に繋がりかねないため、飛行機や病院の中では携帯端末の電源を切る必要がある。
【０００３】
携帯端末の電源を切ることで電波が発信しなくなるのだが、飛行機や病院の中から出てきて再び携帯端末を使用する場合には携帯端末の電源を入れなければならない。一般的には、携帯端末の電源を入れてからユーザが使用可能になるまで時間がかかる。よって、ユーザは携帯端末が使用可能になるまで待機しなければならない。そこで、携帯端末の電源を切らなくとも、携帯端末の電波を発信しないようにするモード（以下、機内モード）が存在する。
【０００４】
携帯端末の設定画面等から機内モードに切り替えることができるので、携帯端末の電源を切らなくても手軽に電波を発信しない状態にすることができる。しかしながら、ユーザは飛行機や病院の中に入る前にこの機内モードに手動で切り替える必要があるため、切り替えを忘れてしまうことがある。
【０００５】
そこで下記の特許文献１では、例えば飛行機のチケット購入に応じて飛行機の搭乗日時を記憶しておき、当該搭乗日時になったら所定の機能を設定（例えば機内モード）する仕組みが開示されている。
【先行技術文献】
【特許文献】
【０００６】
【特許文献１】特開２００２−１１１７９４号公報
【発明の概要】
【発明が解決しようとする課題】
【０００７】
上記の特許文献１に記載された仕組みを用いることで自動的に機内モードに切り替えることが可能だが、必ずしも携帯端末からチケットを購入するわけではないため、結局手動で機内モードに切り替える必要がある。別の仕組みとして、機内モードに切り替える日時を携帯端末にあらかじめ登録しておき、当該日時になったら機内モードに切り替える仕組みが考えられるが、ユーザが事前に当該日時を登録することは手間であり、また登録し忘れてしまう可能性もある。
【０００８】
すなわち、従来の仕組みではあらかじめ機内モードに切り替えるための日時を用意する必要があり、ユーザの手間がかかってしまう問題があった。また、飛行機や病院から出た後に機内モードを終了する必要があり、この操作もユーザにとっては面倒な作業であった。
【０００９】
そこで本発明の目的は、ユーザが携帯端末を操作することなく、当該携帯端末の機内モードを容易に切り替えることの可能な仕組みを提供することである。
【課題を解決するための手段】
【００１０】
上記の目的を達成するために、本発明の携帯端末は、電波の発信を制御する場所の出入口に設置される発信機が発する超音波により通信が可能な携帯端末であって、前記発信機が発する超音波による通信を受信する超音波通信受信手段と、前記携帯端末が当該携帯端末から発信される電波を制御する機内モードでない場合に、前記超音波通信受信手段で超音波を受信することにより、前記機内モードを開始する機内モード開始手段と、前記携帯端末が機内モードである場合に、前記超音波通信受信手段で超音波を受信することにより、前記機内モードを終了する機内モード終了手段とを備えることを特徴とする。
【発明の効果】
【００１１】
本発明によれば、ユーザが携帯端末を操作することなく、当該携帯端末の機内モードを容易に切り替えることの可能な効果を奏する。
【図面の簡単な説明】
【００１２】
【図１】本発明の概要を示す図である。
【図２】携帯端末１０１のハードウェア構成の一例を示す図である。
【図３】携帯端末１０１の機能構成の一例を示す図である。
【図４】本実施形態における一連の処理の流れの一例を示すフローチャートである。
【図５】設定テーブル５００のテーブル構成の一例を示す図である。
【図６】設定変更処理の一例を示すフローチャートである。
【図７】設定変更画面７００の画面構成の一例を示すフローチャートである。
【図８】機内モード切替処理の一例を示すフローチャートである。
【発明を実施するための形態】
【００１３】
以下、図面を参照して、本発明の実施形態を詳細に説明する。
【００１４】
まず、図１を参照して本発明の概要について説明を行う。図１は、本発明の実施形態における携帯端末１０１が後述する電波禁止エリア付近、または電波禁止エリアに進入・退出した場合の設定内容の遷移を示す図である。
【００１５】
携帯端末１０１は、いわゆるスマートフォンのような多機能携帯電話である。本実施形態ではスマートフォンとして説明を行うが、特にこれに限らない。タブレット端末のようなスマートデバイスやパーソナルコンピュータのような情報処理装置であってもよい。
【００１６】
本実施形態では、携帯端末１０１から発せられる電波の影響を受けてしまう機器が存在するエリアを電波禁止エリアとしている。例えば、飛行機や病院の中といったエリアである。また、その電波禁止エリアの周辺を電波禁止エリア付近としている。電波禁止エリア付近は、電波禁止エリアに進入するための準備を行うエリアであり、その広さは特に問わない。当該準備ができればよい。
【００１７】
電波禁止エリアの出入口には、超音波通信が可能な発信機が取り付けられている。当該発信機が超音波通信の超音波を発信し、携帯端末１０１がこれを受信する。発信機は常時、この超音波を発信しており、その発信内容は特に問わない。電波禁止エリアに進入・退出するユーザが保持する携帯端末１０１が当該超音波を受信できればよい。発信機の設置場所は、携帯端末１０１が当該超音波を受信できれば、どの位置でも構わない。尚、超音波通信の通信方法については従来技術を用いるため説明は省略する。
【００１８】
また、電波禁止エリアには、可視光通信が可能な照明が取り付けられている。当該照明が可視光通信の可視光を発信し、携帯端末１０１がこれを受信する。照明は常時、この可視光を発信しており、その発信内容は特に問わない。電波禁止エリアにいるユーザが保持する携帯端末１０１が当該可視光を受信できればよい。照明の設置場所は、携帯端末１０１が当該可視光を受信できれば、どの位置でも構わない。尚、可視光通信の通信方法について従来技術を用いるため説明は省略する。
【００１９】
このような環境において、携帯端末１０１は電波禁止エリア付近に進入すると超音波通信の超音波を受信可能な状態に遷移する（図１の１１０から１１１に遷移）。必要なとき以外は超音波通信の機能を停止させておくことで、携帯端末１０１の電池消費量を低減できる。また、電波禁止エリア付近に進入したか否かは携帯端末１０１が備えるＧＰＳ（Ｇｌｏｂａｌ  Ｐｏｓｉｔｉｏｎｉｎｇ  Ｓｙｓｔｅｍ）機能を用いて判断する。
【００２０】
そして、電波禁止エリア付近から電波禁止エリアに携帯端末１０１が進入する、すなわち電波禁止エリアの出入口に設置された発信機から発信される超音波通信の超音波を受信すると、携帯端末１０１の機内モードを開始すると共に、可視光通信の可視光を受信可能な状態に遷移する（図１の１１１から１１２に遷移）。電波禁止エリアであるので機内モードに切り替えて、携帯端末１０１から発信される電波を止める。機内モードを開始することで停止される電波は、例えばインターネット通信や電話通信、近距離無線通信等である。ただし、前述した超音波通信や可視光通信は停止されない。また、ＧＰＳも停止される。そのため、機内モードである場合にはＧＰＳによって携帯端末１０１の位置を特定することができなくなる。
【００２１】
電波禁止エリアであっても携帯端末１０１の操作は可能であるので、携帯端末１０１が備える設定変更画面から機内モードを終了（解除）することができる。よって、ユーザの指示により機内モードが終了させられてしまう問題がある。そこで、電波禁止エリアで発信される可視光通信の可視光を受信すると、機内モードを開始するようにする（図１の１１３）。携帯端末１０１を利用するためには、携帯端末１０１を照明の下に晒す必要があるので、当該照明から発信される可視光を利用して機内モードに切り替えるようにする。
【００２２】
電波禁止エリアから電波禁止エリア付近に出るときは、再び出入口を通過するため、携帯端末１０１が出入口に設置された発信機から発信される超音波を受信する。今回は２回目の受信であるので退出であると判断できる。よって、機内モードを終了（解除）し、可視光を受信する機能を停止する（図１の１１４から１１５に遷移）。すなわち、前述した１１１と同じ状態に戻る。
【００２３】
そして、携帯端末１０１が電波禁止エリア付近を退出した場合には、超音波を受信する機能を停止する（図１の１１５から１１６に遷移）。このように、電波禁止エリアの出入口に超音波通信の発信機を設置しておき、超音波の受信に応じて自動的に機内モードに切り替えることが可能となる。
【００２４】
図２は、携帯端末１０１のハードウェア構成の一例を示す図である。
【００２５】
ＣＰＵ２０１は、システムバス２０４に接続される各デバイスやコントローラを統括的に制御する。
【００２６】
また、ＲＯＭ２０２あるいはフラッシュメモリ２１４（記憶手段）には、ＣＰＵ２０１の制御プログラムであるＢＩＯＳ（Ｂａｓｉｃ  Ｉｎｐｕｔ  ／  ＯｕｔｐｕｔＳｙｓｔｅｍ）やオペレーティングシステムプログラム（以下、ＯＳ）や、当該携帯端末が実行する機能を実現するために必要な、後述する各種プログラム等が記憶されている。ＲＡＭ２０３は、ＣＰＵ２０１の主メモリ、ワークエリア等として機能する。
【００２７】
ＣＰＵ２０１は、処理の実行に際して必要なプログラム等をＲＡＭ２０３にロードして、プログラムを実行することで各種動作を実現するものである。
【００２８】
また、入力コントローラ２０５は、タッチパネル２１０、マイク２１１、カメラ２１２からの入力を制御する。タッチパネル２１０からはユーザのタッチ操作に関する入力を制御し、マイク２１１からは音声や超音波の入力を制御し、更にカメラ２１２からは撮影された静止画、動画、可視光の入力を制御する。出力コントローラ２０６は、タッチパネル２１０、スピーカ２１３への出力を制御する。
【００２９】
タッチパネル２１０は、ユーザからのタッチ操作を検知すると共に、前述した出力コントローラ２０６から送られた映像を表示する。タッチパネル２１０は、表示器と位置入力装置とが一体となった部品である。複数の箇所に対するタッチ操作（以下、マルチタッチ）も検知可能である。
【００３０】
メモリコントローラ（ＭＣ）２０７は、ブートプログラム、ブラウザソフトウエア、各種のアプリケーション、フォントデータ、ユーザファイル、編集ファイル、各種データ等を記憶するフラッシュメモリ２１４へのアクセスを制御する。本実施形態においては、フラッシュメモリとして説明を行うが、ハードディスク（ＨＤ）やフレキシブルディスク（ＦＤ）或いはＰＣＭＣＩＡカードスロットにアダプタを介して接続されるカード型メモリ等の記憶媒体であってもよい。
【００３１】
通信Ｉ／Ｆコントローラ２０９は、ネットワークを介して、外部機器と接続・通信するものであり、ネットワークでの通信制御処理を実行する。例えば、ＴＣＰ／ＩＰを用いたインターネット通信等が可能である。
【００３２】
センサコントローラ２０８は、携帯端末１０１が備えるセンサ２１５からの入力を制御する。携帯端末１０１のセンサ２１５には様々なセンサが存在し、例えば方位センサ、加速度センサ等である。
【００３３】
尚、ＣＰＵ２０１は、例えばＲＡＭ２０３内の表示情報用領域へアウトラインフォントの展開（ラスタライズ）処理を実行することにより、タッチパネル２１０上での表示を可能としている。
【００３４】
本発明の携帯端末１０１が後述する各種処理を実行するために用いられる各種プログラム等はフラッシュメモリ２１４に記録されており、必要に応じてＲＡＭ２０３にロードされることによりＣＰＵ２０１によって実行されるものである。さらに、本発明に係わるプログラムが用いる定義ファイルや各種情報テーブルはフラッシュメモリ２１４に格納されている。
【００３５】
次に、携帯端末１０１の機能構成の一例について、図３を用いて説明する。
【００３６】
携帯端末１０１は機能部として、記憶部３０１、現在位置取得部３０２、電波禁止エリア付近判定部３０３、超音波通信制御部３０４、機内モード切替制御部３０５、可視光通信制御部３０６、画面表示制御部３０７を備えている。
【００３７】
記憶部３０１は、携帯端末１０１を動作させるための各種プログラムやデータ等を記憶管理するための機能部である。特に本実施形態では、図１で示した仕組みを携帯端末１０１で動作させるための機内モード切替アプリと、電波禁止エリア付近の位置情報と、後述する設定テーブル５００とを記憶している。電波禁止エリア付近の位置情報は、電波禁止エリアに進入可能なある一定のエリアを示す位置である。
【００３８】
現在位置取得部３０２は、ＧＰＳを用いて携帯端末１０１の現在位置を取得するための機能部である。ＧＰＳを用いて現在位置を取得する方法は、従来技術を用いるため説明は省略する。
【００３９】
電波禁止エリア付近判定部３０３は、携帯端末１０１が電波禁止エリア付近に存在するか否かを判定するための機能部である。記憶部３０１に記憶された電波禁止エリア付近の位置情報が示すエリアに、現在位置取得部３０２で取得した携帯端末１０１の現在位置が含まれるか否かを判定する。
【００４０】
超音波通信制御部３０４は、発信機から発信される超音波を受信するための機能部である。超音波通信制御部３０４は、必要に応じて動作し、超音波による通信を受信する。
【００４１】
機内モード切替制御部３０５は、携帯端末１０１を機内モードに切り替えるための機能部である。機内モード切替制御部３０５は、必要に応じて携帯端末１０１の機内モードの開始と終了を切り替える。機内モードについては、前述した通りである。
【００４２】
可視光通信制御部３０６は、照明から発信される可視光を受信するための機能部である。可視光通信制御部３０６は、必要に応じて動作し、可視光による通信を受信する。
【００４３】
画面表示制御部３０７は、携帯端末１０１のタッチパネル２１０に各種画面を表示するための機能部である。
【００４４】
次に、本発明の実施形態における一連の処理の流れについて、図４に示すフローチャートを用いて説明する。尚、図４の各ステップは、携帯端末１０１のＣＰＵ２０１が実行する動作である。
【００４５】
ステップＳ４０１では、ユーザからの指示に応じて携帯端末１０１の電源を入れて、携帯端末１０１を起動する。そして、ステップＳ４０２では、携帯端末の起動に応じて記憶部３０１に記憶された機内モード切替アプリを起動する。機内モード切替アプリは、インターネットからダウンロードし、インストールしたものであってもよいし、あらかじめインストールされたものであってもよい。ステップＳ４０３では、記憶部３０１に記憶された電波禁止エリア付近を示す位置情報を読み込む。
【００４６】
ステップＳ４０４では、ユーザからの入力により設定変更指示があったか否かを判定する。設定変更指示とは、例えば携帯端末１０１の動作設定を変更するための画面の表示指示である。設定変更指示があったと判定した場合には、ステップＳ４０５に処理を進める。設定変更指示がなかったと判定した場合には、ステップＳ４０６に処理を進める。
【００４７】
ステップＳ４０５では、携帯端末１０１の動作設定を変更するための処理を実行する。設定変更処理の詳細は、後述する図６に示す。
【００４８】
ステップＳ４０６では、現在位置取得部３０２を用いて携帯端末１０１の現在位置を取得する。そして、ステップＳ４０７では、ステップＳ４０３で読み込んだ電波禁止エリア付近を示す位置情報と、ステップＳ４０５で取得した現在位置とを用いて、携帯端末１０１が電波禁止エリア付近に存在するか否かを判定する。携帯端末１０１が電波禁止エリア付近に存在すると判定した場合には、ステップＳ４０８に処理を進める。携帯端末１０１が電波禁止エリア付近に存在しないと判定した場合には、ステップＳ４１１に処理を進める。
【００４９】
ステップＳ４０８では、携帯端末１０１の超音波通信がＯＦＦになっているか否かを判定する。超音波通信がＯＦＦになっているか否かは、図５に示す設定テーブル５００の超音波通信５０２を参照し、ＯＦＦが格納されているか否かに応じて判定すればよい。
【００５０】
設定テーブル５００（図５参照）は、携帯端末１０１のフラッシュメモリ２１４に記憶されるテーブルである。設定テーブル５００は、携帯端末１０１の設定内容を示すパラメータを格納している。設定テーブル５００は、機内モード５０１、超音波通信５０２、可視光通信５０３を備えており、それぞれＯＮの場合には当該機能を動作させ、ＯＦＦの場合には当該機能の動作を停止する。また、設定テーブル５００は、進入フラグ５０４を備えており、ＯＮの場合は電波禁止エリアに進入していることを示し、ＯＦＦの場合は電波禁止エリアに進入していないことを示す。
【００５１】
ステップＳ４０８の説明に戻る。超音波通信がＯＦＦになっていると判定した場合には、ステップＳ４０９に処理を進める。超音波通信がＯＮになっていると判定した場合には、ステップＳ４１０に処理を進める。
【００５２】
ステップＳ４０９では、携帯端末１０１が電波禁止エリア付近に存在するので、電波禁止エリアに対する進入に備え、超音波通信５０２をＯＮにする。
【００５３】
ステップＳ４１０では、携帯端末１０１を機内モードに切り替える処理を実行する機内モード切替処理の詳細は、後述する図８に示す。
【００５４】
一方、ステップＳ４０７で携帯端末１０１が電波禁止エリア付近に存在しないと判定した場合には、ステップＳ４１１では、超音波通信５０２がＯＮになっているか否かを判定する。超音波通信５０２がＯＮになっていると判定した場合には、ステップＳ４１２に処理を進める。超音波通信５０２がＯＦＦになっていると判定した場合には、ステップ４１３に処理を進める。
【００５５】
ステップＳ４１２では、電波禁止エリア付近の外に出たと判断できるので、ステップＳ４０９でＯＮにした超音波通信５０２をＯＦＦにする。
【００５６】
ステップＳ４１３では、携帯端末１０１の起動を終了する指示を受け付けたか否かを判定する。ユーザからの指示により携帯端末１０１の電源ボタンが押下されたか否かを判定すればよい。携帯端末１０１の起動を終了する指示を受け付けたと判定した場合には、ステップＳ４１４に処理を進める。携帯端末１０１の起動を終了する指示を受け付けていないと判定した場合には、ステップＳ４０４に処理を戻し、ステップＳ４０４乃至ステップＳ４１３の処理を繰り返す。
【００５７】
ステップＳ４１４では、ステップＳ４０２で起動した機内モード切替アプリの起動を終了し、ステップＳ４１５では、携帯端末１０１の起動を終了する。
【００５８】
次に、設定変更処理の流れについて、図６に示すフローチャートを用いて説明する。尚、図６の各ステップは、携帯端末１０１のＣＰＵ２０１が実行する動作である。
【００５９】
ステップＳ６０１では、図７に示すような設定変更画面７００をタッチパネル２１０に表示する。設定変更画面７００（図７）は、携帯端末１０１の動作設定を変更するための画面である。本実施形態では、機内モードのＯＮ／ＯＦＦを切り替えるための画面として用いるが、これ以外の設定項目があってもよい。設定変更画面７００には、機内モード切替欄７０１と、閉じるボタン７０２を備えている。機内モード切替欄７０１は、ラジオボタンによって機内モードをＯＮにするか、ＯＦＦにするかを切り替え可能となっている。閉じるボタン７０２は、設定変更画面７００を閉じるためのボタンである。
【００６０】
図６の説明に戻る。ステップＳ６０１で設定変更画面７００を表示したら、ステップＳ６０２では、機内モードのＯＮ／ＯＦＦを切り替える指示を検知したか否かを判定する。より具体的には、機内モード切替欄７０１のラジオボタンが選択されたか否かを判定する。機内モードのＯＮ／ＯＦＦを切り替える指示を検知したと判定した場合には、ステップＳ６０３に処理を進める。機内モードのＯＮ／ＯＦＦを切り替える指示を検知していないと判定した場合には、ステップＳ６０４に処理を進める。
【００６１】
ステップＳ６０３では、機内モード５０１をＯＮからＯＦＦに切り替える、またはＯＦＦからＯＮに切り替える。
【００６２】
ステップＳ６０４では、閉じるボタン７０２が押下されたか否かを判定する。閉じるボタン７０２が押下されたと判定した場合には、ステップＳ６０５に処理を進める。閉じるボタン７０２が押下されていないと判定した場合には、ステップＳ６０２に処理を戻し、ステップＳ６０２乃至ステップＳ６０４の処理を繰り返す。
【００６３】
ステップＳ６０５では、閉じるボタン７０２が押下されたのでステップＳ６０１で表示した設定変更画面７００を閉じて、設定変更処理の呼び出し元に処理を戻す。
【００６４】
次に、機内モード切替処理の流れについて、図８に示すフローチャートを用いて説明する。尚、図８の各ステップは、携帯端末１０１のＣＰＵ２０１が実行する動作である。
【００６５】
ステップＳ８０１では、ステップＳ４０４と同様に、ユーザからの入力により設定変更指示があったか否かを判定する。設定変更指示があったと判定した場合には、ステップＳ８０２に処理を進める。設定変更指示がなかったと判定した場合には、ステップＳ８０３に処理を進める。
【００６６】
ステップＳ８０２では、携帯端末１０１の動作設定を変更するための処理を実行する。設定変更処理の詳細は、図６で前述した通りである。設定変更はいつでも受け付けることができるので、機内モード切替処理においても、指示があればステップＳ４０４と同様に設定変更処理が実行される。
【００６７】
ステップＳ８０３では、電波禁止エリアの出入口付近に設置された発信機から発信される超音波通信の超音波を携帯端末１０１が受信したか否かを判定する（超音波通信受信手段）。超音波を受信したと判定した場合には、ステップＳ８０５に処理を進める。超音波を受信していないと判定した場合には、ステップＳ８０４に処理を進める。
【００６８】
ステップＳ８０４では、進入フラグ５０４がＯＮであるか否かを判定する。つまり、電波禁止エリアにいるか否かを判定する。進入フラグ５０４がＯＮであると判定した場合には、ステップＳ８１２に処理を進める。すなわち、携帯端末１０１が電波禁止エリア内に存在しており、当該電波禁止エリアから退出していないと判断できる。一方、進入フラグ５０４がＯＦＦであると判定した場合には、電波禁止エリアにはまだ進入していないため、機内モード切替処理を終了し、機内モード切替処理の呼び出し元に処理を戻す。
【００６９】
ステップＳ８０３で発信機から超音波通信の超音波を受信したと判定した場合には、ステップＳ８０５では、電波禁止エリアに進入したか否かを判定する。すなわち、進入フラグ５０４がＯＦＦであるか否かを判定する。電波禁止エリアに進入したと判定した場合には、ステップＳ８０６に処理を進める。電波禁止エリアに進入していない、すなわち電波禁止エリアから退出したと判定した場合には、ステップＳ８０９に処理を進める。
【００７０】
本実施形態においては、超音波を発信する発信機が電波禁止エリアの出入口に備えられており、電波禁止エリアに進入するときと、退出するときに超音波を受信することになる。つまり、この超音波の受信に応じて、電波禁止エリアの進入時と退出時に進入フラグ５０４のＯＮ／ＯＦＦを切り替えることで、携帯端末１０１が電波禁止エリアに進入しようとしているのか、退出しようとしているのかを判断している。
【００７１】
ステップＳ８０５は、超音波を受信したときに進入フラグ５０４がＯＦＦである、つまり電波禁止エリアに進入したと判断されると、ステップＳ８０６に処理を進めて進入フラグ５０４をＯＮにする。また、超音波を受信したときに進入フラグ５０４がＯＮである、つまり電波禁止エリアにいたがそこから退出したと判断されると、ステップＳ８０９に処理を進めて進入フラグ５０４をＯＦＦにする。こうして、機内モードによって機能が停止しているＧＰＳ等を用いずに、携帯端末１０１が電波禁止エリアに存在するのか否かを判断している。
【００７２】
ステップＳ８０６では、進入フラグ５０４をＯＮにし、ステップＳ８０７では、機内モード５０１をＯＮにする（機内モード開始手段）。そして、ステップＳ８０８では、可視光通信５０３をＯＮにし、照明との可視光通信に備える。そして、ステップＳ８１２に処理を進める。
【００７３】
一方、ステップＳ８０９では、進入フラグ５０４をＯＦＦにし、ステップＳ８１０では、電波禁止エリアから退出したので機内モード５０１をＯＦＦにし（機内モード終了手段）、可視光通信５０３をＯＦＦにする。そして、機内モード切替処理を終了し、機内モード切替処理の呼び出し元に処理を戻す。
【００７４】
ステップＳ８１２では、電波禁止エリア内に設置された照明から発信される可視光通信の可視光を受信したか否かを判定する（可視光通信受信手段）。可視光を受信したと判定した場合には、ステップＳ８１３に処理を進める。可視光を受信していないと判定した場合には、ステップＳ８０１に処理を戻し、ステップＳ８０１乃至ステップＳ８１４を繰り返す。
【００７５】
ステップＳ８１３では、携帯端末１０１の機内モード５０１がＯＦＦであるか否かを判定する。機内モード５０１がＯＦＦである、すなわち前述したステップＳ８０２における設定変更処理でユーザが機内モードをＯＦＦにした場合には、ステップＳ８１４に処理を進める。機内モード５０１がＯＮである場合には、ステップＳ８０１に処理を戻し、ステップＳ８０１乃至ステップＳ８１４の処理を繰り返す。
【００７６】
ステップＳ８１４では、携帯端末１０１の機内モード５０１をＯＮにする。このようにして、電波禁止エリア内においてユーザが機内モードをＯＦＦにしてしまった場合であっても、可視光通信によって再び機内モードをＯＮにすることができる。可視光通信ではなく、電波禁止エリア内に超音波通信による超音波を発信する発信機を設置することも考えられるが、超音波により進入フラグ５０４のＯＮ／ＯＦＦが切り替わってしまうため、このような構成となっている。特に、携帯端末１０１を操作するときには、照明の下に携帯端末１０１を晒すため必然的に可視光通信による可視光を受信することになるので、これを用いている。
【００７７】
ステップＳ８１４における処理が終了すると、ステップＳ８０１に処理を戻し、ステップＳ８０１乃至ステップＳ８１４の処理を繰り返す。
【００７８】
以上説明したように、本実施形態によれば、ユーザが携帯端末を操作することなく、当該携帯端末の機内モードを容易に切り替えることの可能な効果を奏する。
【００７９】
本発明は、例えば、システム、装置、方法、プログラム若しくは記憶媒体等としての実施形態も可能であり、具体的には、複数の機器から構成されるシステムに適用してもよいし、また、１つの機器からなる装置に適用してもよい。
【００８０】
なお、本発明は、前述した実施形態の機能を実現するソフトウェアのプログラムを、システム或いは装置に直接、或いは遠隔から供給するものを含む。そして、そのシステム或いは装置のコンピュータが前記供給されたプログラムコードを読み出して実行することによっても達成される場合も本発明に含まれる。
【００８１】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００８２】
その場合、プログラムの機能を有していれば、オブジェクトコード、インタプリタにより実行されるプログラム、ＯＳに供給するスクリプトデータ等の形態であってもよい。
【００８３】
プログラムを供給するための記録媒体としては、例えば、フレキシブルディスク、ハードディスク、光ディスク、光磁気ディスク、ＭＯ、ＣＤ−ＲＯＭ、ＣＤ−Ｒ、ＣＤ−ＲＷなどがある。また、磁気テープ、不揮発性のメモリカード、ＲＯＭ、ＤＶＤ（ＤＶＤ−ＲＯＭ，ＤＶＤ−Ｒ）などもある。
【００８４】
その他、プログラムの供給方法としては、クライアントコンピュータのブラウザを用いてインターネットのホームページに接続する。そして、前記ホームページから本発明のコンピュータプログラムそのもの、若しくは圧縮され自動インストール機能を含むファイルをハードディスク等の記録媒体にダウンロードすることによっても供給できる。
【００８５】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００８６】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、ダウンロードした鍵情報を使用することにより暗号化されたプログラムを実行してコンピュータにインストールさせて実現することも可能である。
【００８７】
また、コンピュータが、読み出したプログラムを実行することによって、前述した実施形態の機能が実現される。その他、そのプログラムの指示に基づき、コンピュータ上で稼動しているＯＳなどが、実際の処理の一部又は全部を行い、その処理によっても前述した実施形態の機能が実現され得る。
【００８８】
さらに、記録媒体から読み出されたプログラムが、コンピュータに挿入された機能拡張ボードやコンピュータに接続された機能拡張ユニットに備わるメモリに書き込まれる。その後、そのプログラムの指示に基づき、その機能拡張ボードや機能拡張ユニットに備わるＣＰＵなどが実際の処理の一部又は全部を行い、その処理によっても前述した実施形態の機能が実現される。
【００８９】
なお、前述した実施形態は、本発明を実施するにあたっての具体化の例を示したものに過ぎず、これらによって本発明の技術的範囲が限定的に解釈されてはならないものである。即ち、本発明はその技術思想、又はその主要な特徴から逸脱することなく、様々な形で実施することができる。
【符号の説明】
【００９０】
１０１  携帯端末
２０１  ＣＰＵ
２０２  ＲＯＭ
２０３  ＲＡＭ
２０４  システムバス
２０５  入力コントローラ
２０６  出力コントローラ
２０７  メモリコントローラ
２０８  通信Ｉ／Ｆコントローラ
２１０  タッチパネル
２１１  マイク
２１２  カメラ
２１３  スピーカ
２１４  フラッシュメモリ
２１５  センサ
【図１】
2015228580.tif 000003
【図２】
2015228580.tif 000004
【図３】
2015228580.tif 000005
【図４】
2015228580.tif 000006
【図５】
2015228580.tif 000007
【図６】
2015228580.tif 000008
【図７】
2015228580.tif 000009
【図８】
2015228580.tif 000010